(57)【要約】【課題】傾斜した壁面及び傾斜していない壁面の両方に補助部材を介在させなくても軒樋を取り付け可能として、作業者等の負担を軽減した吊具を提供する。【解決手段】本発明は、建物９の壁面９１の前方に軒樋７を吊り持つ吊具１であって、前記壁面９１に固定される固定部材２と、軒樋７を装着させる装着部材６と、固定部材２に対して前後に位置調節自在で装着部材６を固定部材２に連結する連結部材３とを有し、連結部材３は、装着部材６に対して上下に角度調節自在で固定部材２を装着部材６に連結するものである。【選択図】図１
2015017470.tif 000002
【特許請求の範囲】
【請求項１】
建物の壁面の前方に軒樋を吊り持つ吊具であって、
前記壁面に固定される固定部材と、前記軒樋を装着させる装着部材と、前記固定部材に対して前後に位置調節自在で前記装着部材を前記固定部材に連結する連結部材とを有し、
前記連結部材は、前記装着部材に対して上下に角度調節自在で前記固定部材を前記装着部材に連結するものであることを特徴とする吊具。
【請求項２】
前記連結部材は、左右軸周りに回動自在で前記固定部材が接続され、
前記連結部材は、前記固定部材を左右で挟持して前記回動を規制する挟持具を有するものであることを特徴とする請求項１記載の吊具。
【請求項３】
前記連結部材と前記固定部材とは、左右に対向して端面を有し、
前記端面に、互いに噛み合う歯部を設けたものであることを特徴とする請求項２記載の吊具。
【発明の詳細な説明】
【技術分野】
【０００１】
本発明は、軒樋を建物に支持する吊具に関するものである。
【背景技術】
【０００２】
従来から、屋根からの雨水を受ける軒樋は、吊具を介して建物の鼻隠し板等に固定される。鼻隠し板は、野地板に直角に取り付けられることがある。この場合では、例えば、特許文献１等の軒樋吊具のように、鼻隠し板側側面を鉛直方向に対して傾斜させた固定具を、吊具本体と鼻隠し板との間に介在させて、軒樋の水平を保持させるものがある。
【先行技術文献】
【特許文献】
【０００３】
【特許文献１】特開平８−１０９７１６号公報
【発明の概要】
【発明が解決しようとする課題】
【０００４】
このように、特許文献１等の従来の吊具では、固定具等の建物の壁面の傾斜に対応するための補助部材を追加介在させることで、前記壁面の傾きによる軒樋の姿勢への影響を軽減している。
【０００５】
しかしながら、従来の吊具では、高所（屋根近傍）において、補助部材及び吊具本体の両方を保持してこれらを纏めて壁面に固定したり、補助部材を壁面に固定した後、吊具本体を補助部材に固定したり等で、吊具を壁面に取り付けることになる。このため、従来の吊具では、施工に手間がかかり易く（軒樋を取り付け難く）、作業者等の負担が大きくなり易いという問題がある。
【０００６】
また、従来の吊具では、壁面の傾斜に合わせるために、傾斜角度の異なる複数の補助部材を施工現場に持ち込み、複数の補助部材から適切な補助部材を選定する等で、施工時の手間の増加や補助部材の在庫管理等で、作業者に負担がかかり易いという問題がある。
【０００７】
そこで、本発明は、前記従来の問題点に鑑みて発明したものであり、その目的とするところは、傾斜した壁面及び傾斜していない壁面の両方に補助部材を介在させなくても軒樋を取り付け可能として、作業者等の負担を軽減した吊具を提供することにある。
【課題を解決するための手段】
【０００８】
前記課題を解決するために、本発明は、建物の壁面の前方に軒樋を吊り持つ吊具であって、前記壁面に固定される固定部材と、前記軒樋を装着させる装着部材と、前記固定部材に対して前後に位置調節自在で前記装着部材を前記固定部材に連結する連結部材とを有し、前記連結部材は、前記装着部材に対して上下に角度調節自在で前記固定部材を前記装着部材に連結するものであることを特徴とする。
【０００９】
この吊具として、前記連結部材は、左右軸周りに回動自在で前記固定部材が接続され、前記連結部材は、前記固定部材を左右で挟持して前記回動を規制する挟持具を有するものであることが好ましい。
【００１０】
この吊具として、前記連結部材と前記固定部材とは、左右に対向して端面を有し、前記端面に、互いに噛み合う歯部を設けたものであることが好ましい。
【発明の効果】
【００１１】
本発明は、前記構成を備えたことで、前記角度調節によって、装着部材（軒樋）の建物（屋根の軒先）に対する姿勢を維持して、固定部材の建物に対する姿勢を変更することができる。このため、本発明は、壁面の傾斜対応用の補助部材を介在させなくても、傾斜した壁面及び傾斜していない壁面の両方に軒樋を取り付けることができる。これによって、本発明は、作業者等の負担を軽減し易くすることができる。
【図面の簡単な説明】
【００１２】
【図１】本発明の実施例の軒樋を切断した状態の側面図である。
【図２】吊具の平面図を示し、（ａ）が固定部材であり、（ｂ）が連結部材であり、（ｃ）が装着部材である。
【図３】固定状態（回動禁止状態）の吊具を示し、（ａ）が連結部材周辺の一部を切断した正面図であり、（ｂ）が歯部の拡大正面図である。
【図４】回動状態（回動許容状態）の吊具を示し、（ａ）が連結部材周辺の一部を切断した正面図であり、（ｂ）が歯部の拡大正面図である。
【発明を実施するための形態】
【００１３】
本発明を、添付図面に示す実施形態の一例に基づいて説明する。本例の吊具１は、図１に示すように、建物９の壁面９１に取り付けられる。建物９は、例えば、屋根（図示せず）を有した家屋になっており、壁面９１は、例えば、鼻隠し板等の屋根近傍の上部であり、本例では、例えば、前記鼻隠し板に吊具１が取り付けられる。
【００１４】
以下、便宜上、吊具１を建物９に取り付けた姿勢を基準とした方向で説明する。すなわち、以下の説明では、前記取り付けた姿勢において、平面視壁面９１に沿った向きを左右とし、平面視左右に直交して壁面９１から屋外側に離れる向きを前方とし、平面視左右に直交する向きを前後とする。
【００１５】
吊具１は、壁面９１から建物９の屋外側（前方）に向けて突出しており、その突出先端側に軒樋７が吊り下げてある。このため、吊具１は、壁面９１の前方に軒樋７を吊り持つよう構成される。言い換えると、軒樋７は、壁面９１に吊具１を介して取り付けられる。
【００１６】
軒樋７は、平面視において、少なくとも一部が建物９（前記屋根）より前方に突出するよう配置される。軒樋７は、左右に沿って長尺に形成される。軒樋７は、前後に幅を有しており、左右に視て（側面視）上方に開口した断面Ｕ字状となっている。
【００１７】
例えば、軒樋７は、壁面９１（建物９）側に位置した板状の後壁部７１と、後壁部７１の下端から前方に突出した底部７２と、底部７２から上方に立ち上がる前壁部７３とを有する。そして、軒樋７は、後壁部７１と、底部７２と、前壁部７３とが連続した形状になっている。
【００１８】
底部７２は、例えば、上下に面を有した板状に形成される。底部７２は、左右に長尺に形成される。底部７２の左右（長手方向）の途中には、排水部７６が設けてある。排水部７６は、例えば、底部７２の幅（前後幅）の中央に形成される。
【００１９】
軒樋７は、排水部７６を介して軒樋７内の水をエルボ７７や竪樋（図示せず）等の排出経路に排出するよう構成される。このため、軒樋７は、底部７２の幅方向を前後に沿った姿勢で配置することで、底部７２を流れる水を排水部７６に流入させ易くすることができる。
【００２０】
また、軒樋７は、後壁部７１の上端縁に形成された第１掛止部７４と、前壁部７３の上端縁に形成された第２掛止部７５とを更に有する。軒樋７は、後壁部７１、底部７２、前壁部７３、第１掛止部７４、第２掛止部７５を樹脂成形等で一体に形成される。軒樋７は、第１掛止部７４及び第２掛止部７５で吊具１に支持される。例えば、第１掛止部７４は、後壁部７１から前方に膨出して形成されており、第２掛止部７５は、前壁部７３から後方に突出して形成される。
【００２１】
吊具１は、左右に所定の間隔をおいて壁面９１に複数設置される。吊具１は、図１，２に示すように、壁面９１に固定される固定部材２と、軒樋７を装着させる装着部材６と、固定部材２に装着部材６を連結する連結部材３とを有する。
【００２２】
固定部材２は、壁面９１の前記上部に固定される固定部２１と、固定部２１に突出して設けた腕部２２と、連結部材３に回動自在で接続される接続部２３とを有する。
【００２３】
固定部２１は、壁面９１に当接して固定される。例えば、固定部２１は、板状に形成してあり、一方の板面（後面）を壁面９１に当接した状態で、壁面９１に固定される。そして、固定部２１は、他方の板面（前面）に腕部２２が設けてある。
【００２４】
腕部２２は、固定部２１から離れる向きに突出した形状となっている。言い換えると、腕部２２は、壁面９１から離れる向きで固定部２１から突出する。例えば、腕部２２は、固定部２１の板面に直交する向きで突出する。
【００２５】
また、腕部２２の突出先端には、接続部２３が設けてある。言い換えると、固定部２１は、腕部２２の後端に設けてあり、接続部２３は、腕部２２の前端に設けてある。接続部２３は、図２、３に示すように、左右両端に、連結部材３に噛み合う係合部２４を夫々有する。
【００２６】
係合部２４は、例えば、左右に突出する歯部２５（第１歯部２５）を複数有する。複数の第１歯部２５は、側面視円環状に並べて設けてあり、円周方向に視て同形状に形成される。そして、円周方向に隣り合う第１歯部２５は、円周方向において等間隔に位置する。言い換えると、係合部２４は、複数の第１歯部２５を等間隔で円環状に配置した凹凸面となっており、接続部２３は、左右に第１歯部２５を有した所謂クラウンギア形状となっている。
【００２７】
また、接続部２３は、歯部２５の並ぶ円環の中心に、貫通孔２６（第１貫通孔２６）が設けてある。第１貫通孔２６は、左右に沿って軸心を有しており、取付部４６に貫通して形成される。
【００２８】
連結部材３は、左右二つの半体３１と、両半体３１を左右から挟持する挟持具３２とを有する。半体３１は、左右対称に形成される。両半体３１は、左右に向い合せで配置される。両半体３１の間には、接続部２３及び装着部材６が配置される。以下、半体３１において、接続部２３が間に配置される部位を、上半部４１とし、装着部材６が間に配置される部位を、下半部４２とする。
【００２９】
上半部４１は、互いに左右向い合う端部に、被係合部４３が設けてある。被係合部４３は、係合部２４に係合する（噛み合う）よう構成される。
【００３０】
被係合部４３は、例えば、複数の歯部４４（第２歯部４４）を左右に突出して有する。複数の第２歯部４４は、側面視円環状に並べて設けてあり、円周方向に視て同形状に形成される。そして、円周方向に隣り合う第２歯部４４は、円周方向において等間隔に位置する。
【００３１】
また、第２歯部４４は、第１歯部２５と同心同径の円環状に設けてある。そして、第２歯部４４は、第１歯部２５の間に嵌り込み可能な形状となっており、第２歯部４４の間は、第１歯部２５を嵌め込み可能な形状となっている。
【００３２】
このように、被係合部４３は、複数の第２歯部４４を等間隔で円環状に配置した凹凸面となっており、上半部４１は、左右の接続部２３側に第１歯部２５を有した所謂クラウンギア形状となっている。
【００３３】
更に、被係合部４３と係合部２４とは、互いの歯部２５，４４が噛み合うよう形成される。言い換えると、上半部４１と接続部２３とは、左右に対向して端面（対向面）を有しており、この対向面には、互いに噛み合う歯部２５，４４が設けてある。そして、吊具１は、左右の歯部２５，４４を噛み合わせることで、係合部２４が被係合部４３に係合する。
【００３４】
なお、互いに噛み合う歯部２５，４４とは、円周方向において歯部２５と歯部４４とが干渉する状態であればよい。すなわち、互いに噛み合う歯部２５，４４とは、一方の対向面に歯部を設けて、他方の対向面に歯部の嵌る凹所を設けて、前記歯部が前記凹所に嵌り込む状態（略隙間を生じずに噛み合う状態）も含む。
【００３５】
また、上半部４１は、第２歯部４４の並ぶ円環の中心に、貫通孔４５（第２貫通孔４５）が設けてある。第２貫通孔４５は、左右に沿って軸心を有しており、上半部４１（半体３１）に貫通して形成される。上半部４１は、係合部２４と被係合部４３とを同心で左右に並べた状態で、側面視第２貫通孔４５が第１貫通孔２６に連通するよう構成される。
【００３６】
挟持具３２は、左右において両半体３１（上半部４１）を互いに近づける向きに付勢して挟持するよう構成される。例えば、挟持具３２は、所謂締め付けねじで形成されており、該締め付けねじは、ねじ５１と、蝶ナット５４とを有する。
【００３７】
ねじ５１は、軸部５２を三つの貫通孔２６，２６，４５に挿通して取り付けられる。この取り付けた状態で、ねじ５１の頭部５３は、一方の半体３１の上半部４１の左右外側（被係合部４３とは反対の端部側）に配置される。そして、頭部５３は、上半部４１の前記反対側の端部に当接して取り付けられる。また、軸部５２は、頭部５３とは反対の端部側が、他方の上半部４１（残り一方の半体３１の上半部４１）の左右外側に突出して位置する。
【００３８】
蝶ナット５４は、前記他方の上半部４１の左右外側に配置される。そして、蝶ナット５４は、軸部５２の前記他方の上半部４１の左右外側の端部に螺合して取り付けられる。
【００３９】
挟持具３２は、蝶ナット５４を頭部５３側に移動させる（螺進させる）ことで、蝶ナット５４を前記他方の上半部４１に当接させることができる。挟持具３２は、蝶ナット５４を更に螺進させることで、両上半部４１を間に接続部２３を介在させて締め付けることができる。これによって、挟持具３２は、両上半部４１（両半体３１）を、その間に接続部２３を介在させた状態で挟持することができる。
【００４０】
そして、吊具１は、この状態において、係合部２４と被係合部４３とが噛み合うことで、固定部材２が連結部材３に固定される。言い換えると、吊具１は、係合部２４と被係合部４３とを係合させた（噛み合わせた）状態で、接続部２３を介在させて両上半部４１（両半体３１）を挟持することで、固定部材２を連結部材３に固定した固定状態となる。
【００４１】
また、吊具１は、図４に示すように、固定状態から挟持具３２の挟持を緩めることで、第１歯部２５と第２歯部４４とを左右に離間可能となる。そして、吊具１は、歯部２５，４４を左右に離間させることで、連結部材３と固定部材２とをねじ５１（軸部５２）の軸周りに相対回転自在となる。
【００４２】
言い換えると、吊具１は、回動自在で固定部材２を連結部材３（半体３１）に接続する回動部を有する。例えば、挟持具３２は、固定部材２を回動自在で連結部材３（半体３１）に接続する回動部となっている。そして、挟持を緩めた状態において、固定部材２（接続部２３）は、回動部（挟持具３２）を介して、左右軸周りに回動自在で半体３１（連結部材３）に接続される。
【００４３】
このため、吊具１は、係合部２４と被係合部４３との係合（歯部２５，４４の噛み合い）を解くことで、連結部材３に対して固定部材２を上下に回動自在とした回動状態となる。なお、前述の左右軸周りに回動自在とは、左右に沿った軸心の軸周りに回動自在となる状態である。
【００４４】
このように、吊具１は、固定部材２と連結部材３との接続状態を、固定状態（回動規制状態）と回動状態（回動許容状態）とに切替自在となっている。そして、固定部材２は、回動許容状態において、連結部材３に対して上下に回動させることで、固定部２１（固定部２１の板面の向き）を前後に対して傾斜させることができる。
【００４５】
言い換えると、固定部材２は、連結部材３に対する接続角度（回動角度）を上下に調整自在で（上下に角度調節自在で）連結部材３に接続される。
【００４６】
そして、固定部材２の回動範囲（調整範囲）は、連結部材３に対する姿勢を、腕部２２の突出方向を前後に沿わせた姿勢と、この姿勢から固定部２１を上方に位置させて腕部２２の突出方向を前後に交差させた姿勢との間で変更自在な範囲となっている。
【００４７】
なお、吊具１は、図４（ｂ）に示すように、挟持を緩めた状態で、第１歯部２５の先端と第２歯部４４の先端とが、歯部２５，４４の並ぶ円周方向に重なる（図中の点線Ｌ１上に位置する）ことが好ましい。この場合、吊具１は、円周方向において歯部２５，４４の先端が干渉することで、連結部材３に対する固定部材２の回動時に、作業者にクリック感を与え易くすることができる。
【００４８】
更に、この場合では、第１歯部２５と第２歯部４４とがその先端で円周方向に干渉することで、緩めた状態で固定部材２や連結部材３（装着部材６）の自重等による連結部材３と固定部材２との相対回転を抑制することができる。
【００４９】
これによって、吊具１は、前記角度調整時に、前記自重等での前記接続角度の変化を生じ難くすることができる。言い換えると、吊具１は、歯部２５，４４の干渉によって、前記接続角度を仮保持させ易くすることができる。
【００５０】
また、半体３１の下半部４２は、図２乃至４に示すように、装着部材６を取り付ける（接続する）取付部４６を有する。このため、連結部材３は、左右軸周りに回動自在で固定部材２を装着部材６に連結するよう構成される。
【００５１】
取付部４６は、例えば、前後及び下方に開口した取付溝４７となっている。取付溝４７は、正面視矩形状に開口した形状となっている。
【００５２】
取付溝４７は、下端縁に、突出片４８を有する。突出片４８は、前記下端縁から左右内側（取付溝４７内部側）に向けて突出して形成される。例えば、突出片４８は、取付溝４７の前後の全長に亘って線状に形成される。
【００５３】
また、取付溝４７は、左右の内側面の突出片４８より上方の部位に、突起４９が設けてある。突起４９は、左右内側に向けて突出して形成される。例えば、突起４９は、左右内側に向けて凸の半球状や円錐状等の点状で左右に突出して形成される。
【００５４】
装着部材６は、図１、２に示すように、前後に長尺で形成される。装着部材６は、前後に長尺な棒状部６１と、第１掛止部７４を掛け止める第１樋保持部６６と、第２掛止部７５を掛け止める第２樋保持部６７とを有する。
【００５５】
棒状部６１は、図３，４に示すように、その断面形状が、正面視横向きＨ字形状となっている。言い換えると、棒状部６１は、平面視板状の第１横辺部６２と、第１横辺部６２の左右の中央から下方に突出する側面視板状の縦辺部６３と、縦辺部６３の下端に設けられ平面視板状の第２横辺部６４とを有する。
【００５６】
縦辺部６３は、左右の寸法が、固定状態の連結部材３の突出片４８間の左右の寸法に比べて、小寸となっている。縦辺部６３は、上下の寸法が、固定状態の連結部材３の突出片４８の上下の寸法に比べて、大寸となっている。
【００５７】
第１横辺部６２は、固定状態の連結部材３の取付溝４７に嵌り込む寸法形状となっている。第１横辺部６２は、前後に長尺に形成される。第１横辺部６２は、上下の厚さを有する。例えば、第１横辺部６２は、正面視矩形状に形成されており、平面視前後に長尺な平板状となっている。そして、第１横辺部６２の上下の厚さは、取付溝４７の突出片４８より上方の隙間の上下の寸法と同寸となっている。
【００５８】
第１横辺部６２は、左右端部（左右の側面部６２ａ）に、複数の凹部６５を有する。複数の凹部６５は、前後に沿った直線状に並べて各側面部６２ａに設けてあり、前後に所定の間隔で配置される。凹部６５は夫々、同形状に形成されており、半体３１の突起４９を嵌り込み可能な形状となっている。例えば、各凹部６５は、半球状や円錐状等の点状で左右に凹没して形成される。
【００５９】
このため、装着部材６は、第１横辺部６２を取付溝４７に嵌め込むことで、連結部材３に接続される。そして、連結部材３に接続させた装着部材６は、両半体３１を挟持具３２で挟持固定させることで、半体３１の突起４９がいずれかの凹部６５に嵌り込むよう構成される。
【００６０】
この突起４９の凹部６５への嵌り込みによって、装着部材６は、前後に位置規定して連結部材３に固定される。言い換えると、吊具１は、連結部材３と装着部材６との間に、突起４９と凹部６５とで形成される位置規定部を有する。そして、装着部材６は、棒状部６１を介在させて両半体３１を挟持・固定することで、この位置規定部によって、連結部材３に対する前後の接続位置が規定される。
【００６１】
また、装着部材６は、凹部６５に対する突起４９の嵌り込みを解き、連結部材３を前後に相対移動させて、突起４９を嵌め込む凹部６５を変更させることで、連結部材３に対する接続位置が変更される。言い換えると、装着部材６は、連結部材３に対する連結位置を前後に調節自在で（前後に位置調整自在で）連結部材３に接続される。このため、装着部材６は、連結部材３を介して前後に位置調整自在で固定部材２に支持される。
【００６２】
第２横辺部６４は、前後に長尺に形成される。第２横辺部６４は、上下の厚さを有する。例えば、第２横辺部６４は、正面視矩形状に形成されており、平面視前後に長尺な平板状となっている。
【００６３】
第１樋保持部６６は、棒状部６１の後端に形成される。第１樋保持部６６は、第１掛止部７４を掛け止め自在となっている。第２樋保持部６７は、棒状部６１の前端から上方に突出して形成される。第２樋保持部６７は、その上端部に、第２掛止部７５を掛け止め自在となっている。
【００６４】
このため、装着部材６は、第１樋保持部６６に第１掛止部７４を保持させ、第２樋保持部６７に第２掛止部７５を保持させることで、軒樋７が装着される。そして、装着部材６は、軒樋７が装着された状態で、平面視において、棒状部６１（第１横辺部６２）の前後の長手方向が、底部７２の前後の幅方向と平行に並ぶ。
【００６５】
このように、吊具１は、建物９の壁面９１の前方（前下方を含む）に軒樋７を吊り持つよう構成される。吊具１は、壁面９１に固定される固定部材２と、軒樋７を装着させる装着部材６と、固定部材２に対して前後に位置調節自在で装着部材６を固定部材２に連結する連結部材３とを有する。連結部材３は、装着部材６に対して上下に角度調節自在で固定部材２を装着部材６に連結する。
【００６６】
言い換えると、固定部材２は、連結部材３を介して、前後に位置調節自在で且つ上下に角度調節自在で装着部材６に連結される。
【００６７】
このため、吊具１は、前後の位置調整によって、装着部材６に装着される軒樋７の壁面９１に対する前後位置を調整することができる。これによって、吊具１は、屋根の軒先の直下等の建物９に対応した位置に、軒樋７を配置させることができる。
【００６８】
更に、吊具１は、上下の角度調節によって、棒状部６１の長手方向（軒樋７の幅方向）を前後に沿わせた状態で、固定部２１側を前後に対して傾けた姿勢に変更することができる。
【００６９】
言い換えると、吊具１は、前記角度調節によって、装着部材６（軒樋７）の建物９（屋根の軒先）に対する姿勢を維持して、固定部材２の建物９に対する姿勢（取付姿勢）を変更することができる。これによって、吊具１は、壁面９１の傾斜の有無に関わらず、装着部材６の姿勢を維持して、例えば、固定部２１の後面を壁面９１に当接させることができる。
【００７０】
このように、吊具１は、傾斜した壁面９１（図１中の点線の壁面９１参照）及び傾斜していない壁面９１（図１中の実線の壁面９１参照）のいずれの場合にあっても、軒樋７を吊り持ち支持して取り付けることができる。このため、吊具１は、壁面９１の傾斜の有無に関わらず、壁面９１の傾斜に対応させるための補助部材を介在させずに、建物９に軒樋７を取り付け可能として、作業者の負担を軽減し易くすることができる。
【００７１】
そして、吊具１は、壁面９１の傾斜角毎等で複数品種が必要な補助部材を用いる場合に比べて、製造や在庫の確保、施工現場への持ち込み等における品種の増加を抑制し易くすることができる。これによって、吊具１は、製造コストや施工コスト等の各種コストの増加を抑制し易くすることができて、製造者や販売者、施工者（施工主）、作業者等の負担を軽減し易くすることができる。
【００７２】
また、連結部材３は、左右軸周りに回動自在で固定部材２が接続されることが好ましい。そして、連結部材３は、固定部材２を左右で挟持して前記回動を規制する挟持具３２を有することが好ましい。
【００７３】
この場合、吊具１は、前記回動によって、前記接続角度を変更することができる。このため、吊具１は、例えば、固定部材２を壁面９１に固定した状態において前記接続角度を容易に変更することができる等で、傾斜した壁面９１に対する前記接続角度の調節を行い易くすることができる。これによって、吊具１は、軒樋７の施工を行い易くなり、作業者等の負担を軽減し易くすることができる。
【００７４】
更に、連結部材３と固定部材２とは、左右に対向して端面を有し、この端面に、互いに噛み合う歯部２５，４４を設けたものであることが好ましい。この場合、吊具１は、歯部２５，４４を噛み合わせることで、前記回動を規制し易くすることができる。このため、吊具１は、調節した前記接続角度を保持させ易くなり、傾斜した壁面９１への軒樋７の施工を行い易くすることができる。これによって、吊具１は、作業者等の負担を軽減し易くすることができる。
【００７５】
なお、歯部２５，４４の円周方向における間隔は、一般的な日本家屋に用いる場合、１寸（約５．６度）間隔が好ましい。この場合、吊具１は、円周方向において噛み合う歯部２５，４４を一つずらす毎に、前後に対する固定部２１の姿勢を１寸（約５．６度）ずつ傾けて調整することができる。
【００７６】
また、吊具１は、上半部４１３１や接続部２３の円環の外周面に前記角度調節させた姿勢に応じた目印を設けることが好ましい。例えば、吊具１は、この目印として、図３（ｂ）や図４（ｂ）に示すように、固定部材２に設けた第１の目印２７と、連結部材３に設けた複数の第２の目印３３とを有する。
【００７７】
第１の目印２７は、接続部２３の所定の歯部２５，４４の外周面に設けてある。第１の目印２７は、前記角度調整の基準となる形状で設けてある。そして、この基準となる形状とは、例えば、二等辺三角形や、矢印等の複数の第２の目印３３から対応する第２の目印３３を指し示す形状となっている。
【００７８】
第２の目印３３は、上半部４１の歯部２５，４４間の各付け根（前記凹所の底）と左右に並ぶ外周面に夫々設けてある。第２の目印３３は、円周方向に沿って順番に１寸刻みの数値や目盛りとなっている。
【００７９】
このため、吊具１は、第１の目印２７と左右に並ぶ（第１の目印２７が指し示す）第２の目印３３の数値等が、現在の姿勢の接続角度（傾き）を示す状態となる。これによって、吊具１は、固定部材２の接続角度を作業者に把握させ易くすることができて、角度調整における作業者の負担を軽減し易くすることができる。
【００８０】
また、吊具１は、装着部材６の側端面に、前記位置調節させた姿勢に応じた目印を設けることが好ましい。例えば、吊具１は、この目印として、図１に示すように、連結部材３に設けた第３の目印３４と、装着部材６に設けた複数の第４の目印６８とを有する。
【００８１】
第３の目印３４は、下半部４２の左右外側の側端部に設けてある。第３の目印３４は、前記位置調節の基準となる形状で設けてある。そして、この基準となる形状とは、例えば、二等辺三角形や、矢印等の複数の第４の目印６８から対応する第４の目印６８を指し示す形状となっている。
【００８２】
第４の目印６８は、縦辺部６３の側面部に設けてある。第４の目印６８は、凹部６５に対応して設けてある。第４の目印６８は、鉛直な壁面９１に取り付けた状態において対応する凹部６５に突起４９を嵌め込んだときの、壁面９１に対する軒樋７の前後の出代（前方に突出した位置）に相当する数値や目盛りとなっている。
【００８３】
このため、吊具１は、第３の目印３４と上下に並ぶ（第３の目印３４が指し示す）第４の目印６８の数値等が、前記状態における軒樋７の出代を示す状態となる。これによって、吊具１は、装着部材６（軒樋７）の出代を作業者に把握させ易くすることができて、位置調節における作業者の負担を軽減し易くすることができる。
【００８４】
更に、吊具１は、傾斜した壁面９１に取り付ける場合において、第３の目印３４による前記出代の数値等を位置調整の目安に用いることで、位置調整における作業者の負担を軽減し易くすることができる。
【符号の説明】
【００８５】
１  吊具
２  固定部材
２１  固定部
２４  係合部
２５  第１歯部（歯部）
２６  第１貫通孔（貫通孔）
３  連結部材
３１  半体
３２  挟持具
４３  被係合部
４４  第２歯部（歯部）
４５  第２貫通孔（貫通孔）
４９  突起
５１  ねじ
５４  蝶ナット
６  装着部材
６１  棒状部
６５  凹部
７  軒樋
９  建物
９１  壁面
【図１】
2015017470.tif 000003
【図２】
2015017470.tif 000004
【図３】
2015017470.tif 000005
【図４】
2015017470.tif 000006